(57)【要約】  プラズマディスプレイ装置において、クロストークを抑制する効果を高める。そのために、発光するサブフィールドと非発光のサブフィールドとの組合せを複数選択して構成する表示用組合せ集合を複数備えて階調を表示するプラズマディスプレイ装置の駆動方法において、１フィールドを構成する複数のサブフィールドに、最も輝度重みの小さい第１のサブフィールドと、第１のサブフィールドの直後に配置する第２のサブフィールドと、第２のサブフィールドの直後に配置する第３のサブフィールドと含む。そして、第１のサブフィールドの維持期間に走査電極と維持電極とのそれぞれに印加する維持パルスが１つずつのときには、第３のサブフィールドが発光する場合には第２のサブフィールドも発光する組合せによって構成された表示用組合せ集合を用いて階調を表示する。
2012049839.tif 000002
【特許請求の範囲】
【請求項１】
１フィールドをあらかじめ輝度重みの定められた複数のサブフィールドで構成するとともに、発光するサブフィールドと非発光のサブフィールドとの組合せを複数選択して構成する表示用組合せ集合を複数備え、前記表示用組合せ集合に属する組合せを用いて放電セルの発光・非発光を制御して階調を表示するプラズマディスプレイ装置の駆動方法であって、
前記複数のサブフィールドには、最も輝度重みの小さい第１のサブフィールドと、前記第１のサブフィールドの直後に配置する第２のサブフィールドと、前記第２のサブフィールドの直後に配置する第３のサブフィールドとが含まれ、
前記第１のサブフィールドの維持期間に前記走査電極と前記維持電極とのそれぞれに印加する維持パルスが１つずつのときには、前記第３のサブフィールドが発光する場合には前記第２のサブフィールドも発光する組合せによって構成された表示用組合せ集合を用いて階調を表示する
ことを特徴とするプラズマディスプレイ装置の駆動方法。
【請求項２】
前記第２のサブフィールドと前記第３のサブフィールドとは互いに同じ輝度重みを有する
ことを特徴とする請求項１に記載のプラズマディスプレイ装置の駆動方法。
【請求項３】
前記第１のサブフィールドの維持期間に前記走査電極と前記維持電極とのそれぞれに印加する維持パルスが１つずつのときに、特定の色の放電セルにおいてのみ、前記第２の表示用組合せ集合を用いて階調を表示する
ことを特徴とする請求項２に記載のプラズマディスプレイ装置の駆動方法。
【請求項４】
走査電極および維持電極からなる表示電極対とデータ電極とを有する放電セルを複数備えたプラズマディスプレイパネルと、
書込み期間と、輝度重みに応じた数の維持パルスを前記表示電極対に印加する維持期間とを有する複数のサブフィールドで１フィールドを構成して前記プラズマディスプレイパネルを駆動し、発光するサブフィールドと非発光のサブフィールドとの組合せを複数選択して構成する表示用組合せ集合を複数備え、前記表示用組合せ集合に属する組合せを用いて放電セルの発光・非発光を制御して階調を表示する駆動回路とを含むプラズマディスプレイ装置であって、
前記駆動回路は、
前記複数のサブフィールドに、最も輝度重みの小さい第１のサブフィールドと、前記第１のサブフィールドの直後に配置する第２のサブフィールドと、前記第２のサブフィールドの直後に配置する第３のサブフィールドとを含み、
前記第１のサブフィールドの維持期間に前記走査電極と前記維持電極とのそれぞれに印加する維持パルスが１つずつのときには、前記第３のサブフィールドが発光する場合には前記第２のサブフィールドも発光する組合せによって構成された表示用組合せ集合を用いて階調を表示する
ことを特徴とするプラズマディスプレイ装置。
【発明の詳細な説明】
【技術分野】
【０００１】
本発明は、交流面放電型のプラズマディスプレイパネルを用いたプラズマディスプレイ装置の駆動方法およびプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
このようなパネルを用いたプラズマディスプレイ装置では、隣接する放電セル間で、一方の放電セルから他方の放電セルへ電荷が移動する現象が発生することがある。以下、このような現象を「クロストーク」と呼称する。クロストークが発生すると放電セル内の壁電荷が減少する。そして、クロストークに起因する壁電荷の減少によって書込み動作が不安定になる放電セルが発生すると、画像表示品質が劣化することがある。【００１０】
プラズマディスプレイ装置における画像表示品質の劣化を防止するために、クロストークを防止する技術が開示されている（例えば、特許文献１参照）。この特許文献１に記載された技術では、パネルに画像を表示する際に特定の階調値だけを使用する。この特定の階調値とは、連続した階調値間で、連続したサブフィールドにおいて、サブフィールドの発光、非発光が入れ替わることがないような発光パターンを有する階調値である。【００１１】
特許文献１に記載の方法では、列方向に隣接する放電セル（１つのデータ電極を共有する隣り合う放電セル）の間で発生するクロストークについては効果を得ることができる。しかしながら、行方向に隣接する放電セル（１対の表示電極対を共用する隣り合う放電セル）の間で発生するクロストークについては十分な効果を得ることが困難である。【００１２】
また、パネルが高精細化されると、行方向に隣接する放電セルの間隔は狭くなる。したがって、高精細化されたパネルでは、クロストークがより発生しやすい。そのため、クロストークを抑制する効果を高めるとともに、クロストークが発生した場合に、パネルに表示される画像にクロストークが与える影響を抑制することができるプラズマディスプレイ装置が望まれている。
【先行技術文献】
【特許文献】
【００１３】
【特許文献１】特開２００４−２９２６５号公報
【発明の概要】
【００１４】
本発明は、１フィールドをあらかじめ輝度重みの定められた複数のサブフィールドで構成するとともに、発光するサブフィールドと非発光のサブフィールドとの組合せを複数選択して構成する表示用組合せ集合を複数備え、表示用組合せ集合に属する組合せを用いて放電セルの発光・非発光を制御して階調を表示するプラズマディスプレイ装置の駆動方法である。この駆動方法において、１フィールドを構成する複数のサブフィールドには、最も輝度重みの小さい第１のサブフィールドと、第１のサブフィールドの直後に配置する第２のサブフィールドと、第２のサブフィールドの直後に配置する第３のサブフィールドとが含まれる。そして、第１のサブフィールドの維持期間に走査電極と維持電極とのそれぞれに印加する維持パルスが１つずつのときには、第３のサブフィールドが発光する場合には第２のサブフィールドも発光する組合せによって構成された表示用組合せ集合を用いて階調を表示する。
【００１５】
これにより、クロストークを抑制する効果を高めるとともに、クロストークが発生した場合に、パネルに表示される画像にクロストークが与える影響を抑制し、品質の高い画像をパネルに表示することができる。
【００１６】
また、本発明のプラズマディスプレイ装置の駆動方法においては、第２のサブフィールドと第３のサブフィールドとは互いに同じ輝度重みを有してもよい。
【００１７】
また、本発明のプラズマディスプレイ装置の駆動方法においては、第１のサブフィールドの維持期間に走査電極と維持電極とのそれぞれに印加する維持パルスが１つずつのときに、特定の色の放電セルにおいてのみ、第２の表示用組合せ集合を用いて階調を表示してもよい。
【００１８】
また、本発明は、走査電極および維持電極からなる表示電極対とデータ電極とを有する放電セルを複数備えたプラズマディスプレイパネルと、書込み期間と、輝度重みに応じた数の維持パルスを表示電極対に印加する維持期間とを有する複数のサブフィールドで１フィールドを構成してプラズマディスプレイパネルを駆動し、発光するサブフィールドと非発光のサブフィールドとの組合せを複数選択して構成する表示用組合せ集合を複数備え、前記表示用組合せ集合に属する組合せを用いて放電セルの発光・非発光を制御して階調を表示する駆動回路とを含むプラズマディスプレイ装置である。このプラズマディスプレイ装置において、駆動回路は、１フィールドを構成する複数のサブフィールドに、最も輝度重みの小さい第１のサブフィールドと、第１のサブフィールドの直後に配置する第２のサブフィールドと、第２のサブフィールドの直後に配置する第３のサブフィールドとを含んでプラズマディスプレイパネルを駆動する。そして、駆動回路は、第１のサブフィールドの維持期間に走査電極と維持電極とのそれぞれに印加する維持パルスが１つずつのときには、第３のサブフィールドが発光する場合には第２のサブフィールドも発光する組合せによって構成された表示用組合せ集合を用いて階調を表示する。
【００１９】
これにより、クロストークを抑制する効果を高めるとともに、クロストークが発生した場合に、パネルに表示される画像にクロストークが与える影響を抑制し、品質の高い画像をパネルに表示することができる。
【図面の簡単な説明】
【００２０】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いるパネルの各電極に印加する駆動電圧波形を概略的に示す図である。
【図４Ａ】図４Ａは、本発明の実施の形態１におけるプラズマディスプレイ装置に用いる第１のコーディングテーブルの一例を示す図である。
【図４Ｂ】図４Ｂは、本発明の実施の形態１におけるプラズマディスプレイ装置に用いる第２のコーディングテーブルの一例を示す図である。
【図５】図５は、本発明の実施の形態１におけるプラズマディスプレイ装置を構成する回路ブロックの一例を概略的に示す図である。
【図６】図６は、本発明の実施の形態１におけるプラズマディスプレイ装置に用いる画像信号処理回路の一構成例を概略的に示す図である。
【図７】図７は、各サブフィールドにおける書込み動作に必要な書込みパルス電圧Ｖｄの最低値を示す図である。
【図８】図８は、本発明の実施の形態２におけるプラズマディスプレイ装置に用いる第３のコーディングテーブルの一例を示す図である。
【図９】図９は、本発明の実施の形態２におけるプラズマディスプレイ装置に用いる画像信号処理回路の一構成例を概略的に示す図である。
【図１０】図１０は、本発明の実施の形態２におけるプラズマディスプレイ装置に用いる第４のコーディングテーブルの一例を示す図である。
【発明を実施するための形態】
【００２１】
以下、本発明の実施の形態におけるプラズマディスプレイ装置について、図面を用いて説明する。
【００２２】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２３】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００２４】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００２５】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００２６】
放電空間は隔壁３４によって複数の区画に仕切られており、表示電極対２４とデータ電極３２とが交差する部分に放電セルが形成されている。
【００２７】
そして、これらの放電セルで放電を発生し、放電セルの蛍光体層３５を発光（放電セルを点灯）することにより、パネル１０にカラーの画像を表示する。
【００２８】
なお、パネル１０においては、表示電極対２４が延伸する方向に配列された連続する３つの放電セルで１つの画素を構成する。この３つの放電セルとは、蛍光体層３５Ｒを有し赤色（Ｒ）に発光する放電セル（赤の放電セル）と、蛍光体層３５Ｇを有し緑色（Ｇ）に発光する放電セル（緑の放電セル）と、蛍光体層３５Ｂを有し青色（Ｂ）に発光する放電セル（青の放電セル）である。
【００２９】
なお、パネル１０の構造は上述したものに限られるわけではなく、例えばストライプ状の隔壁を備えたものであってもよい。
【００３０】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。
【００３１】
そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３２】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００３３】
次に、パネル１０を駆動するための駆動電圧波形とその動作の概要について説明する。
【００３４】
本実施の形態におけるプラズマディスプレイ装置は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００３５】
なお、本実施の形態では、１フィールドを６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成し、サブフィールドＳＦ１からサブフィールドＳＦ６の各サブフィールドはそれぞれ（１、２、４、８、１６、３２）の輝度重みを有する例を説明する。
【００３６】
本実施の形態において、最も輝度重みの小さい輝度重み「１」を有するサブフィールドＳＦ１は第１のサブフィールドであり、サブフィールドＳＦ２の直後に配置するサブフィールドＳＦ２は第２のサブフィールドであり、サブフィールドＳＦ２の直後に配置するサブフィールドＳＦ３は第３のサブフィールドである。
【００３７】
しかし、本発明は１フィールドを構成するサブフィールドの数、各サブフィールドが有する輝度重み等が上記した数値に限定されるものではない。例えば、１フィールドを１０のサブフィールド（サブフィールドＳＦ１、・・・、サブフィールドＳＦ１０）で構成し、サブフィールドＳＦ１からサブフィールドＳＦ１０の各サブフィールドがそれぞれ（１、２、３、６、１１、１８、３０、４４、６０、８１）の輝度重みを有する等、プラズマディスプレイ装置の仕様等に応じてサブフィールドの構成を適宜設定することが望ましい。
【００３８】
初期化期間では、放電セルに初期化放電を発生し、続く書込み期間における書込み放電に必要な壁電荷を各電極上に形成する初期化動作を行う。
【００３９】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００４０】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍数である。
【００４１】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００４２】
また、例えば、輝度倍数が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００４３】
こうして、画像信号に応じた組合せでサブフィールド毎に各放電セルの発光・非発光を制御して各サブフィールドを選択的に発光することにより、様々な階調値を表示し、画像をパネル１０に表示することができる。
【００４４】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い、他のサブフィールドの初期化期間においては、選択初期化動作を行う。以下、全セル初期化動作を行う初期化期間を「全セル初期化期間」と記し、全セル初期化期間を有するサブフィールドを「全セル初期化サブフィールド」と記す。また、選択初期化動作を行う初期化期間を「選択初期化期間」と記し、選択初期化期間を有するサブフィールドを「選択初期化サブフィールド」と記す。
【００４５】
そして、本実施の形態では、各フィールドの最初のサブフィールド（サブフィールドＳＦ１）を全セル初期化サブフィールドとし、他のサブフィールドは選択初期化サブフィールドとする。
【００４６】
これにより、少なくとも１フィールドに１回は全ての放電セルで初期化放電を発生するので、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【００４７】
しかし、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【００４８】
図３は、本発明の実施の形態１におけるプラズマディスプレイ装置に用いるパネル１０の各電極に印加する駆動電圧波形を概略的に示す図である。図３には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００４９】
また、図３には、サブフィールドＳＦ１、サブフィールドＳＦ２、サブフィールドＳＦ３の３つのサブフィールドの駆動電圧波形を示す。サブフィールドＳＦ１は全セル初期化動作を行うサブフィールドであり、サブフィールドＳＦ２、サブフィールドＳＦ３は選択初期化動作を行うサブフィールドである。したがって、サブフィールドＳＦ１と、サブフィールドＳＦ２およびサブフィールドＳＦ３とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２、サブフィールドＳＦ３の駆動電圧波形とほぼ同様である。
【００５０】
なお、本実施の形態は、１フィールドを構成するサブフィールドの数や各サブフィールドの輝度重みが上記の値に限定されるものではない。
【００５１】
まず、全セル初期化サブフィールドであるサブフィールドＳＦ１について説明する。
【００５２】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに上昇する上り傾斜波形電圧（ランプ電圧）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【００５３】
このランプ電圧が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００５４】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する下り傾斜波形電圧（ランプ電圧）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００５５】
このランプ電圧を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【００５６】
以上により、サブフィールドＳＦ１の初期化期間における全セル初期化動作が終了し、全ての放電セルにおいて、続く書込み動作に必要な壁電荷が各電極上に形成される。
【００５７】
続くサブフィールドＳＦ１の書込み期間では、維持電極ＳＵ１〜維持電極ＳＵｎには電圧Ｖｅ２を印加し、データ電極Ｄ１〜データ電極Ｄｍには電圧０（Ｖ）を印加し、走査電極ＳＣ１〜走査電極ＳＣｎには電圧Ｖｃを印加する。
【００５８】
次に、最初に書込み動作を行う１行目の走査電極ＳＣ１に負の電圧Ｖａの負極性の走査パルスを印加する。以下、この電圧Ｖａのことを「走査パルス電圧」とも記す。そして、データ電極Ｄ１〜データ電極Ｄｍのうちの１行目において発光するべき放電セルのデータ電極Ｄｋに正の電圧Ｖｄの正極性の書込みパルスを印加する。以下、この電圧Ｖｄのことを「書込みパルス電圧」とも記す。
【００５９】
書込みパルス電圧Ｖｄを印加したデータ電極Ｄｋと走査パルス電圧Ｖａを印加した走査電極ＳＣ１との交差部にある放電セルでは、データ電極Ｄｋと走査電極ＳＣ１との間に放電が発生する。
【００６０】
また、維持電極ＳＵ１〜維持電極ＳＵｎに電圧Ｖｅ２を印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルス電圧Ｖａと書込みパルス電圧Ｖｄとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００６１】
このようにして、１行目の放電セルにおける書込み動作が終了する。なお、書込みパルス電圧Ｖｄを印加しなかった放電セルでは、書込み放電は発生しない。
【００６２】
次に、２行目の走査電極ＳＣ２に走査パルス電圧Ｖａを印加するとともに、２行目に発光するべき放電セルに対応するデータ電極Ｄｋに書込みパルス電圧Ｖｄを印加し、２行目の放電セルにおける書込み動作を行う。
【００６３】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。
【００６４】
なお、図３には、維持電極ＳＵ１〜維持電極ＳＵｎに、初期化期間後半には電圧Ｖｅ１を印加し、書込み期間には電圧Ｖｅ２を印加する構成を示したが、この電圧Ｖｅ１と電圧Ｖｅ２とは互いに等しい電圧値であってもよい。
【００６５】
続くサブフィールドＳＦ１の維持期間では、まず維持電極ＳＵ１〜維持電極ＳＵｎに電圧０（Ｖ）を印加する。そして、走査電極ＳＣ１〜走査電極ＳＣｎに正の電圧Ｖｓの維持パルスを印加する。以下、この電圧Ｖｓのことを「維持パルス電圧」とも記す。
【００６６】
この維持パルス電圧Ｖｓの印加により、書込み放電を発生した放電セルでは、走査電極ＳＣｉと維持電極ＳＵｉとの電圧差が放電開始電圧を超え、維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００６７】
続いて、走査電極ＳＣ１〜走査電極ＳＣｎには電圧０（Ｖ）を印加し、維持電極ＳＵ１〜維持電極ＳＵｎには維持パルス電圧Ｖｓを印加する。直前に維持放電を発生した放電セルでは再び維持放電が発生し、維持電極ＳＵｉ上に負の壁電圧が蓄積され、走査電極ＳＣｉ上に正の壁電圧が蓄積される。
【００６８】
以降同様に、走査電極ＳＣ１〜走査電極ＳＣｎと維持電極ＳＵ１〜維持電極ＳＵｎとに、輝度重みに所定の輝度倍数を乗じた数の維持パルスを交互に印加する。こうして、書込み期間において書込み放電を発生した放電セルは、輝度重みに応じた輝度で発光する。
【００６９】
そして、維持期間における維持パルスの発生後に、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎに電圧０（Ｖ）から電圧Ｖｒに向かって緩やかに上昇する傾斜波形電圧（ランプ電圧）を印加する。
【００７０】
このランプ電圧を走査電極ＳＣ１〜走査電極ＳＣｎへ印加する間に、維持放電を発生した放電セルに微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【００７１】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００７２】
以上により、サブフィールドＳＦ１が終了する。
【００７３】
次に、選択初期化サブフィールドであるサブフィールドＳＦ２について説明する。
【００７４】
サブフィールドＳＦ２の初期化期間では、維持電極ＳＵ１〜維持電極ＳＵｎには電圧Ｖｅ１を印加し、データ電極Ｄ１〜データ電極Ｄｍには電圧０（Ｖ）を印加する。走査電極ＳＣ１〜走査電極ＳＣｎには放電開始電圧未満となる電圧（例えば、電圧０（Ｖ））から負の電圧Ｖｉ４に向かって緩やかに下降する傾斜波形電圧（ランプ電圧）を印加する。電圧Ｖｉ４は、維持電極ＳＵ１〜維持電極ＳＵｎに対して放電開始電圧を超える電圧に設定する。
【００７５】
このランプ電圧を走査電極ＳＣ１〜走査電極ＳＣｎに印加する間に、直前のサブフィールド（図３では、サブフィールドＳＦ１）の維持期間に維持放電を発生した放電セルでは、微弱な初期化放電が発生する。そして、この初期化放電により、走査電極ＳＣｉ上および維持電極ＳＵｉ上の壁電圧が弱められる。また、データ電極Ｄｋ上に蓄積された壁電圧の過剰な部分が放電され、データ電極Ｄｋ上の壁電圧は書込み動作に適した壁電圧に調整される。
【００７６】
一方、直前のサブフィールド（サブフィールドＳＦ１）の維持期間に維持放電を発生しなかった放電セルでは、初期化放電は発生せず、それ以前の壁電圧が保たれる。
【００７７】
このように、サブフィールドＳＦ２における初期化動作は、直前のサブフィールドの書込み期間で書込み動作を行った放電セルで選択的に初期化放電を発生する選択初期化動作となる。
【００７８】
以上により、サブフィールドＳＦ２の初期化期間における選択初期化動作が終了する。
【００７９】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【００８０】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【００８１】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【００８２】
以上が、本実施の形態においてパネル１０の各電極に印加する駆動電圧波形の概要である。
【００８３】
次に、パネル１０に階調を表示する方法について説明する。
【００８４】
本実施の形態では、上述したように、あらかじめ輝度重みが設定された複数のサブフィールドで１フィールドを構成する。そして、放電セルに表示する階調値の大きさに応じてサブフィールドを選択的に発光させることで、階調値に応じた明るさで各放電セルを発光させ、パネル１０に画像を表示する。以下、発光させるサブフィールドを「点灯サブフィールド」、非発光のサブフィールドを「非点灯サブフィールド」とも記す。
【００８５】
１フィールドにおける点灯サブフィールドと非点灯サブフィールドとの組合せは複数ある。以下、１フィールドにおける点灯サブフィールドと非点灯サブフィールドとの組合せのことを「コーディング」と呼称する。そして、本実施の形態では、それら複数のコーディングの中から、階調を表示するために用いるコーディング（表示用コーディング）を複数選択し、表示用組合せ集合を作成する。以下、表示用組合せ集合を「コーディングテーブル」と呼称する。
【００８６】
そして、コーディングテーブルに属するコーディングにもとづき各サブフィールドの発光・非発光を制御し、放電セルを階調値の大きさに応じた輝度で発光させて、パネル１０に画像を表示する。
【００８７】
以下、輝度倍数の大きさを「Ｎ」で表す。
【００８８】
上述したように、本実施の形態におけるプラズマディスプレイ装置においては、輝度倍数「Ｎ」の大きさに応じて維持期間に発生する維持パルスの数が変化する。したがって、輝度倍数「Ｎ」の大きさを制御することで、パネル１０に表示される画像の明るさを制御することができる。
【００８９】
本実施の形態におけるプラズマディスプレイ装置では、画像信号の平均輝度（ＡＰＬ：Ａｖｅｒａｇｅ  Ｐｉｃｔｕｒｅ  Ｌｅｖｅｌ）を検出し、ＡＰＬに応じて輝度倍数「Ｎ」の大きさを制御する。これにより、ＡＰＬに応じて、パネル１０に表示される画像の明るさを調整することができる。
【００９０】
次に、本実施の形態において用いるコーディングテーブルについて説明する。
【００９１】
なお、以下の説明では、黒を表示するときの輝度（維持放電が発生しないときの輝度）を「０」とする。また、輝度重みの大きさを「Ｍ」で表す。そして、輝度倍数が「Ｎ」のとき、輝度重み「Ｍ」に対応する輝度を「Ｎ×Ｍ」と表記する。
【００９２】
したがって、例えば、輝度重み「１」のサブフィールドＳＦ１だけが発光する放電セルの輝度は「Ｎ」となる。また、輝度重み「１」のサブフィールドＳＦ１と輝度重み「２」のサブフィールドＳＦ２だけが発光する放電セルの輝度は、１＋２＝３なので、「３Ｎ」となる。
【００９３】
なお、本実施の形態において、輝度倍率「Ｎ」は整数に限定されない。輝度倍率「Ｎ」は、例えば、１、１．５、２、２．５、３、等小数点以下の数値を含む複数の数値の中から、ＡＰＬに応じて選択される。
【００９４】
図４Ａは、本発明の実施の形態１におけるプラズマディスプレイ装置に用いる第１のコーディングテーブルの一例を示す図である。
【００９５】
図４Ｂは、本発明の実施の形態１におけるプラズマディスプレイ装置に用いる第２のコーディングテーブルの一例を示す図である。
【００９６】
第１のコーディングテーブルは「第１の表示用組合せ集合」であり、第２のコーディングテーブルは「第２の表示用組合せ集合」である。
【００９７】
なお、本実施の形態におけるプラズマディスプレイ装置は、上述したように、サブフィールドＳＦ１からサブフィールドＳＦ６までの６つのサブフィールドで１フィールドを構成してパネル１０を駆動している。しかし、図４Ａ、図４Ｂのコーディングテーブルには、説明を簡略化するために、サブフィールドＳＦ１からサブフィールドＳＦ５までの５つのサブフィールドを示す。
【００９８】
なお、図４Ａ、図４Ｂに示すコーディングテーブルにおいて各サブフィールドを示す欄の直下に記された数値は、各サブフィールドの輝度重みを表す。図４Ａ、図４Ｂに示すコーディングテーブルにおいてサブフィールドＳＦ１からサブフィールドＳＦ５の各サブフィールドはそれぞれ「１」、「２」、「４」、「８」、「１６」の輝度重みを有する。
【００９９】
図４Ａ、図４Ｂに示すコーディングテーブルには、発光するサブフィールドを「１」、非発光のサブフィールドを空欄で示し、最も左の列には、各コーディングにおいて表示する階調の値を表す。
【０１００】
例えば、図４Ａに示すコーディングテーブルにもとづけば、階調値「３」を表示する放電セルではサブフィールドＳＦ１およびサブフィールドＳＦ２が発光する。あるいは、階調値「２３」を表示する放電セルでは、サブフィールドＳＦ１、サブフィールドＳＦ２、サブフィールドＳＦ３およびサブフィールドＳＦ５が発光する。
【０１０１】
なお、上述したように、本実施の形態では、輝度倍数「Ｎ」の大きさに応じて維持期間に発生する維持パルスの数が変化する。したがって、サブフィールドＳＦ１からサブフィールドＳＦ５の各サブフィールドが表示する輝度は、Ｎ＝１のときは「１」、「２」、「４」、「８」、「１６」であり、Ｎ＝３のときは「３」、「６」、「１２」、「２４」、「４８」である。
【０１０２】
図４Ａに示す第１のコーディングテーブルは、「階調値「１」以上を表示する放電セルでは必ずサブフィールドＳＦ１を発光する」という規則を有するコーディングの集合である。この規則は、「サブフィールドＳＦ１で発光しない放電セルはサブフィールドＳＦ２以降でも発光しない」と言い換えることができる。さらに、この規則は、「サブフィールドＳＦ２が発光する放電セルではサブフィールドＳＦ１も必ず発光する」と言い換えることができる。
【０１０３】
したがって、図４Ａに示す第１のコーディングテーブルでは、階調値「１」以上を表示する放電セルでは必ずサブフィールドＳＦ１が発光する。この規則に従えば、図４Ａに示すように、サブフィールドＳＦ１からサブフィールドＳＦ５までの５つのサブフィールドで１６通りの階調値を表示することができる。
【０１０４】
図４Ｂに示す第２のコーディングテーブルは、「階調値「１」以上を表示する放電セルでは必ずサブフィールドＳＦ１を発光し、階調値「３」以上を表示する放電セルでは必ずサブフィールドＳＦ２を発光する」という規則を有するコーディングの集合である。この規則は、「サブフィールドＳＦ１で発光しない放電セルはサブフィールドＳＦ２以降でも発光せず、サブフィールドＳＦ２で発光しない放電セルはサブフィールドＳＦ３以降でも発光しない」と言い換えることができる。さらに、この規則は、「サブフィールドＳＦ３が発光する放電セルではサブフィールドＳＦ１およびサブフィールドＳＦ２も必ず発光する」と言い換えることができる。
【０１０５】
したがって、図４Ｂに示す第２のコーディングテーブルでは、階調値「３」以上を表示する放電セルでは必ずサブフィールドＳＦ１およびサブフィールドＳＦ２が発光する。この規則に従えば、図４Ｂに示すように、サブフィールドＳＦ１からサブフィールドＳＦ５までの５つのサブフィールドで９通りの階調値を表示することができる。
【０１０６】
なお、図４Ａに示した第１のコーディングテーブルにもとづきパネル１０に画像を表示するときには、階調値「２」、階調値「４」、階調値「６」等の偶数値の階調値を用いることができない。また、図４Ｂに示した第２のコーディングテーブルにもとづきパネル１０に画像を表示するときには、階調値「２」、階調値「４」、階調値「５」、階調値「６」、階調値「８」、階調値「９」、階調値「１０」等の階調値を用いることができない。しかし、これらの階調値は、一般に知られたディザ処理や誤差拡散処理等の技術を用いて擬似的にパネル１０に表示することができる。
【０１０７】
図５は、本発明の実施の形態１におけるプラズマディスプレイ装置４０を構成する回路ブロックの一例を概略的に示す図である。
【０１０８】
本実施の形態に示すプラズマディスプレイ装置４０は、パネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【０１０９】
画像信号処理回路４１は、赤の画像信号、緑の画像信号、青の画像信号が入力される。そして、画像信号処理回路４１は、入力された画像信号にもとづき、各放電セルに階調値を割り当て、その階調値を、サブフィールド毎の発光・非発光を示す画像データ（発光・非発光をデジタル信号の「１」、「０」に対応させたデータのこと）に変換する。このとき、画像信号処理回路４１は、上述した第１のコーディングテーブルまたは第２のコーディングテーブルにもとづき、画像データを発生する。
【０１１０】
すなわち、画像信号処理回路４１は、赤の画像信号、緑の画像信号、青の画像信号を、第１のコーディングテーブルまたは第２のコーディングテーブルにもとづき、赤の画像データ、緑の画像データ、青の画像データに変換して出力する。例えば、画像信号処理回路４１は、階調値「３」を表示する場合には画像データ「１１００００」を出力し、階調値「２３」を表示する場合には画像データ「１１１０１０」を出力する。
【０１１１】
なお、この画像データは、サブフィールドＳＦ１、サブフィールドＳＦ２、サブフィールドＳＦ３、サブフィールドＳＦ４、サブフィールドＳＦ５、サブフィールドＳＦ６の順に並んでいるものとする。
【０１１２】
タイミング発生回路４５は、水平同期信号、垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【０１１３】
データ電極駆動回路４２は、画像信号処理回路４１から出力される各色の画像データおよびタイミング発生回路４５から供給されるタイミング信号にもとづき、各データ電極Ｄ１〜データ電極Ｄｍに対応する書込みパルスを発生する。そして、データ電極駆動回路４２は、その書込みパルスを書込み期間に各データ電極Ｄ１〜データ電極Ｄｍに印加する。
【０１１４】
走査電極駆動回路４３は、初期化波形発生回路、維持パルス発生回路、走査パルス発生回路（図５には示さず）を備え、タイミング発生回路４５から供給されるタイミング信号にもとづいて駆動電圧波形を作成し、走査電極ＳＣ１〜走査電極ＳＣｎのそれぞれに印加する。初期化波形発生回路は、タイミング信号にもとづき、初期化期間に、走査電極ＳＣ１〜走査電極ＳＣｎに印加する初期化波形を発生する。維持パルス発生回路は、タイミング信号にもとづき、維持期間に、走査電極ＳＣ１〜走査電極ＳＣｎに印加する維持パルスを発生する。走査パルス発生回路は、複数の走査電極駆動ＩＣ（走査ＩＣ）を備え、タイミング信号にもとづき、書込み期間に、走査電極ＳＣ１〜走査電極ＳＣｎに印加する走査パルスを発生する。
【０１１５】
維持電極駆動回路４４は、維持パルス発生回路、および電圧Ｖｅ１、電圧Ｖｅ２を発生する回路（図５には示さず）を備え、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【０１１６】
図６は、本発明の実施の形態１におけるプラズマディスプレイ装置４０に用いる画像信号処理回路４１の一構成例を概略的に示す図である。なお、図６には、本実施の形態に示す各動作に関連する回路ブロックのみを示し、それ以外の回路ブロックは省略している。
【０１１７】
画像信号処理回路４１は、赤の画像信号に対応する階調値変換部５１Ｒと、緑の画像信号に対応する階調値変換部５１Ｇと、青の画像信号に対応する階調値変換部５１Ｂと、赤の画像信号に対応する第１のコーディングテーブルを記憶した記憶装置（以下、「第１のコーディングテーブル５２Ｒ」と記す、また図６には、単に「第１テーブル」と記し符号「５２Ｒ」を付与する）と、緑の画像信号に対応する第１のコーディングテーブルを記憶した記憶装置（以下、「第１のコーディングテーブル５２Ｇ」と記す、また図６には、単に「第１テーブル」と記し符号「５２Ｇ」を付与する）と、青の画像信号に対応する第１のコーディングテーブルを記憶した記憶装置（以下、「第１のコーディングテーブル５２Ｂ」と記す、また図６には、単に「第１テーブル」と記し、符号「５２Ｂ」を付与する）と、赤の画像信号に対応する第２のコーディングテーブルを記憶した記憶装置（以下、「第２のコーディングテーブル５３Ｒ」と記す、また図６には、単に「第２テーブル」と記し、符号「５３Ｒ」を付与する）と、緑の画像信号に対応する第２のコーディングテーブルを記憶した記憶装置（以下、「第２のコーディングテーブル５３Ｇ」と記す、また図６には、単に「第２テーブル」と記し、符号「５３Ｇ」を付与する）と、青の画像信号に対応する第２のコーディングテーブルを記憶した記憶装置（以下、「第２のコーディングテーブル５３Ｂ」と記す、また図６には、単に「第２テーブル」と記し、符号「５３Ｂ」を付与する）と、赤の画像信号に対応するデータ変換部５４Ｒと、緑の画像信号に対応するデータ変換部５４Ｇと、青の画像信号に対応するデータ変換部５４Ｂと、赤の画像信号に対応するセレクタ５５Ｒと、緑の画像信号に対応するセレクタ５５Ｇと、青の画像信号に対応するセレクタ５５Ｂとを有する。
【０１１８】
コーディングテーブルを記憶した各記憶装置は、内部に記憶した各コーディングのデータを階調値に応じて任意に読み出すことができる。
【０１１９】
階調値変換部５１Ｒには、赤の画像信号（図６には、「画像信号（Ｒ）」と表記）が入力される。そして、階調値変換部５１Ｒは、赤の画像信号に応じた画像をパネル１０に表示するために、必要な信号処理、例えばパネル１０の画素数に応じた画素数変換やガンマ補正等の信号処理を赤の画像信号に施す。そして、信号処理を施した赤の画像信号を赤の階調値に変換する。
【０１２０】
階調値変換部５１Ｇには、緑の画像信号（図６には、「画像信号（Ｇ）」と表記）が入力される。そして、階調値変換部５１Ｇは、緑の画像信号に応じた画像をパネル１０に表示するために、必要な信号処理、例えばパネル１０の画素数に応じた画素数変換やガンマ補正等の信号処理を緑の画像信号に施す。そして、信号処理を施した緑の画像信号を緑の階調値に変換する。
【０１２１】
階調値変換部５１Ｂには、青の画像信号（図６には、「画像信号（Ｂ）」と表記）が入力される。そして、階調値変換部５１Ｂは、青の画像信号に応じた画像をパネル１０に表示するために、必要な信号処理、例えばパネル１０の画素数に応じた画素数変換やガンマ補正等の信号処理を青の画像信号に施す。そして、信号処理を施した青の画像信号を青の階調値に変換する。
【０１２２】
なお、階調値変換部５１Ｒ、階調値変換部５１Ｇ、階調値変換部５１Ｂは、１つの画素を構成する赤の階調値と緑の階調値と青の階調値とが同時に出力されるように、互いに同期して動作している。
【０１２３】
セレクタ５５Ｒは、サブフィールドＳＦ１において、走査電極２２と維持電極２３とのそれぞれに２回以上の維持パルスが印加される場合には、第１のコーディングテーブル５２Ｒを選択し、サブフィールドＳＦ１において、走査電極２２と維持電極２３とのそれぞれに１回ずつ維持パルスが印加される場合には、第２のコーディングテーブル５３Ｒを選択する。
【０１２４】
同様に、セレクタ５５Ｇは、サブフィールドＳＦ１において、走査電極２２と維持電極２３とのそれぞれに２回以上の維持パルスが印加される場合には、第１のコーディングテーブル５２Ｇを選択し、サブフィールドＳＦ１において、走査電極２２と維持電極２３とのそれぞれに１回ずつ維持パルスが印加される場合には、第２のコーディングテーブル５３Ｇを選択する。
【０１２５】
同様に、セレクタ５５Ｂは、サブフィールドＳＦ１において、走査電極２２と維持電極２３とのそれぞれに２回以上の維持パルスが印加される場合には、第１のコーディングテーブル５２Ｂを選択し、サブフィールドＳＦ１において、走査電極２２と維持電極２３とのそれぞれに１回ずつ維持パルスが印加される場合には、第２のコーディングテーブル５３Ｂを選択する。
【０１２６】
データ変換部５４Ｒは、階調値変換部５１Ｒから出力される赤の階調値にもとづき、セレクタ５５Ｒにおいて選択された方のコーディングテーブルからコーディングのデータを読み出す。例えば、セレクタ５５Ｒにおいて第１のコーディングテーブル５２Ｒが選択されていれば、階調値変換部５１Ｒから出力される赤の階調値にもとづき、第１のコーディングテーブル５２Ｒからコーディングのデータを読み出す。セレクタ５５Ｒにおいて第２のコーディングテーブル５３Ｒが選択されていれば、階調値変換部５１Ｒから出力される赤の階調値にもとづき、第２のコーディングテーブル５３Ｒからコーディングのデータを読み出す。そして、読み出したデータを赤の画像データとして出力する。
【０１２７】
同様に、データ変換部５４Ｇは、階調値変換部５１Ｇから出力される緑の階調値にもとづき、セレクタ５５Ｇにおいて選択された方のコーディングテーブルからコーディングのデータを読み出し、読み出したデータを緑の画像データとして出力する。
【０１２８】
同様に、データ変換部５４Ｂは、階調値変換部５１Ｂから出力される青の階調値にもとづき、セレクタ５５Ｂにおいて選択された方のコーディングテーブルからコーディングのデータを読み出し、読み出したデータを青の画像データとして出力する。
【０１２９】
なお、上述した規則に則り図４Ａに示す第１のコーディングテーブルおよび図４Ｂに示す第２のコーディングテーブルを生成した理由については後述する。
【０１３０】
図７は、各サブフィールドにおける書込み動作に必要な書込みパルス電圧Ｖｄの最低値を示す図である。図７において、縦軸は安定な書込み動作に必要な書込みパルス電圧Ｖｄの最低値を表し、横軸はサブフィールドを表す。また、図７には、赤の放電セル、緑の放電セル、青の放電セルのそれぞれにおけるサブフィールド毎の書込み動作に必要な書込みパルス電圧Ｖｄの最低値を示す。
【０１３１】
ひとつの放電セルから他の放電セルへ電荷が移動するクロストーク現象が発生すると、放電セル内の壁電荷が減少する。そのため、その放電セルでは、書込みに必要な書込みパルス電圧Ｖｄの最低値が上昇する。したがって、書込み動作に必要な書込みパルス電圧Ｖｄの最小の電圧値を測定することで、クロストークを定量化することができる。
【０１３２】
図７に示すグラフは次のようにして測定した結果をまとめたものである。まず、１つの画素を構成する３つの放電セルのうち、特定のサブフィールドにおいて注目する１つの放電セル（注目放電セル）を発光させず、かつ、他の２つの放電セルを発光させる。次に、次のサブフィールドにおける注目放電セルの書込みに必要な書込みパルス電圧の最低値を測定する。
【０１３３】
したがって、図７には、サブフィールドＳＦ２以降における測定結果が示されている。また、図７に示すグラフは、パネル１０の赤、緑、青の各放電セルにおけるクロストークの特性を示すものである。
【０１３４】
なお、図７に三角の記号で示す特性は、赤の放電セルにおいて、サブフィールドＳＦ１の維持期間に走査電極２２および維持電極２３の各電極に維持パルスをそれぞれ２回以上印加したときの測定結果を表したものである。
【０１３５】
また、図７に四角の記号で示す特性は、緑の放電セルにおいて、サブフィールドＳＦ１の維持期間に走査電極２２および維持電極２３の各電極に維持パルスをそれぞれ２回以上印加したときの測定結果を表したものである。
【０１３６】
また、図７に楕円の記号で示す特性は、青の放電セルにおいて、サブフィールドＳＦ１の維持期間に走査電極２２および維持電極２３の各電極に維持パルスをそれぞれ２回以上印加したときの測定結果を表したものである。
【０１３７】
また、図７に円の記号で示す特性は、緑の放電セルにおいて、サブフィールドＳＦ１の維持期間に走査電極２２および維持電極２３の各電極に維持パルスをそれぞれ１回ずつ印加したときの測定結果を表したものである。
【０１３８】
図７に示す測定結果では、パネル１０においては、サブフィールドＳＦ１の維持期間において走査電極２２および維持電極２３に維持パルスをそれぞれ２回以上印加した場合、青の放電セルのサブフィールドＳＦ２およびサブフィールドＳＦ３における書込みパルス電圧Ｖｄの最低値は、赤の放電セルや緑の放電セルよりも高い。これは、青の放電セルにおける壁電荷が他の放電セルよりも減少していることが原因と考えられる。すなわち、青の放電セルにおけるクロストークは他の放電セルにおけるクロストークよりも発生量が多いと考えられる。
【０１３９】
一方、サブフィールドＳＦ１の維持期間に走査電極２２および維持電極２３の各電極に維持パルスをそれぞれ１回ずつ印加した場合、緑の放電セルのサブフィールドＳＦ２における書込みパルス電圧Ｖｄの最低値は、他の放電セルと比較して高い。これは、緑の放電セルにおいて、サブフィールドＳＦ１の維持期間に走査電極２２および維持電極２３の各電極に維持パルスをそれぞれ１回ずつ印加したとき、サブフィールドＳＦ２において維持放電が発生しなければ、サブフィールドＳＦ３以降のサブフィールドにおいて緑の放電セルでの書込み動作が不安定となりやすく、維持放電が発生しない可能性があることを示している。
【０１４０】
したがって、サブフィールドＳＦ１の維持期間に走査電極２２および維持電極２３の各電極に印加する維持パルスの数がそれぞれ１つずつのときに、サブフィールドＳＦ３以降のサブフィールドにおいて安定に書込み動作を行わせるためには、サブフィールドＳＦ２を必ず発光させればよい。
【０１４１】
この規則にもとづき設定したコーディングテーブルが図４Ｂに示す第２のコーディングテーブルである。図４Ｂに示す第２のコーディングテーブルは、図４Ａに示す第１のコーディングテーブルから、サブフィールドＳＦ２が非発光となった後にサブフィールドＳＦ３以降が発光するコーディングを除いたものである。
【０１４２】
以上示したように、本実施の形態によれば、サブフィールドＳＦ１の維持期間に走査電極２２および維持電極２３の各電極に印加する維持パルスの数がそれぞれ１つずつのときに、サブフィールドＳＦ３以降のサブフィールドが発光するときには、サブフィールドＳＦ１およびサブフィールドＳＦ２も必ず発光する。これにより、放電セル間のクロストークを抑制し、高品質の画像をパネル１０に表示することが可能になる。
【０１４３】
（実施の形態２）
実施の形態１において図４Ｂに示した第２のコーディングテーブルでは、階調値「３」の次の階調値は「７」である。これらの階調値の間の階調値、例えば階調値「４」、階調値「５」、階調値「６」は、上述したようにディザ処理や誤差拡散処理を用いて擬似的に表示することができる。
【０１４４】
しかし、コーディングテーブルにおいて階調値間差が大きいほど、ディザ処理や誤差拡散処理をする際に、輝度のバラツキが大きくなり、それがパネル１０に表示される画像にノイズのように見えてしまう。
【０１４５】
本実施の形態では、サブフィールドＳＦ１の維持期間に走査電極２２および維持電極２３の各電極に印加する維持パルスの数がそれぞれ１つずつのときには、第３のコーディングテーブルを用いる例を説明する。
【０１４６】
図８は、本発明の実施の形態２におけるプラズマディスプレイ装置に用いる第３のコーディングテーブルの一例を示す図である。
【０１４７】
なお、本実施の形態におけるプラズマディスプレイ装置は、サブフィールドＳＦ１からサブフィールドＳＦ６までの６つのサブフィールドで１フィールドを構成してパネル１０を駆動しているが、図８のコーディングテーブルには、説明を簡略化するために、サブフィールドＳＦ１からサブフィールドＳＦ５までの５つのサブフィールドを示す。
【０１４８】
第３のコーディングテーブルは第２のコーディングテーブルと同じ規則にもとづき構成されている。すなわち、第３のコーディングテーブルは、「サブフィールドＳＦ３が発光する放電セルではサブフィールドＳＦ１およびサブフィールドＳＦ２も必ず発光する」という規則を有する。したがって、点灯サブフィールドと非点灯サブフィールドとの組合せは、第２のコーディングテーブルと第３のコーディングテーブルとで互いに等しい。
【０１４９】
この点で、第３のコーディングテーブルは「第２の表示用組合せ集合」ということができる。
【０１５０】
しかし、第３のコーディングテーブルは、サブフィールドＳＦ２およびサブフィールドＳＦ３の輝度重みをともに「２」とした点で第２のコーディングテーブルと異なる。
【０１５１】
このため、第３のコーディングテーブルにおいて階調値「３」の次の階調値は「５」であり、第２のコーディングテーブルと比較して階調値間差を小さくすることができる。このため、ディザ処理や誤差拡散処理をする際に、輝度のバラツキを抑えることができる。
【０１５２】
したがって、本実施の形態では、緑の放電セルにおいて、サブフィールドＳＦ１の維持期間に走査電極２２および維持電極２３の各電極に印加する維持パルスの数がそれぞれ１つずつであって、サブフィールドＳＦ２で緑の放電セルが発光せずかつ緑の放電セルに隣接する放電セルが発光するときに、緑の放電セルがサブフィールドＳＦ３で発光せずかつ緑の放電セルに隣接する放電セルが発光することを回避することができる。
【０１５３】
これにより、放電セル間のクロストークを抑制するとともに、駆動電圧の上昇および輝度のバラツキに起因するノイズを抑制し、高品質の画像をパネル１０に表示することが可能になる。
【０１５４】
なお、図７に示したグラフからは、パネル１０においては緑の放電セルにクロストークが発生しやすいことが確認された。このように、特定の色の放電セルにクロストークが発生しやすい場合には、色に応じてコーディングテーブルを変更してもよい。
【０１５５】
図９は、本発明の実施の形態２におけるプラズマディスプレイ装置に用いる画像信号処理回路１４１の一構成例を概略的に示す図である。なお、図９には、本実施の形態に示す各動作に関連する回路ブロックのみを示し、それ以外の回路ブロックは省略している。
【０１５６】
図１０は、本発明の実施の形態２におけるプラズマディスプレイ装置に用いる第４のコーディングテーブルの一例を示す図である。
【０１５７】
なお、本実施の形態におけるプラズマディスプレイ装置は、サブフィールドＳＦ１からサブフィールドＳＦ６までの６つのサブフィールドで１フィールドを構成してパネル１０を駆動しているが、図１０のコーディングテーブルには、説明を簡略化するために、サブフィールドＳＦ１からサブフィールドＳＦ５までの５つのサブフィールドを示す。
【０１５８】
図１０に示す第４のコーディングテーブルは、図８に示した第３のコーディングテーブルとほぼ同じ構成であるが、階調値「１３」を表示する際に発光するサブフィールドの組合せが異なる。
【０１５９】
本実施の形態において、サブフィールドＳＦ２およびサブフィールドＳＦ３の輝度重みはともに「２」であり、サブフィールドＳＦ４の輝度重みは「４」である。したがって、サブフィールドＳＦ２およびサブフィールドＳＦ３が同時に発光しかつサブフィールドＳＦ４を非発光とするときの輝度と、サブフィールドＳＦ２およびサブフィールドＳＦ３を同時に非発光にしかつサブフィールドＳＦ４を発光するときの輝度とは、互いに等しい。
【０１６０】
そのため、第３のコーディングテーブルにおいて、サブフィールドＳＦ２およびサブフィールドＳＦ３が同時に発光しかつサブフィールドＳＦ４を非発光とするコーディングは、サブフィールドＳＦ２およびサブフィールドＳＦ３を同時に非発光にしかつサブフィールドＳＦ４を発光にするコーディングに置き換えができる。
【０１６１】
第４のコーディングテーブルは、第３のコーディングテーブルにおけるコーディングのうち、この規則にもとづく置き換えが可能なコーディングを、上述したように置き換えたものである。すなわち、第４のコーディングテーブルは「第３の表示用組合せ集合」である。
【０１６２】
図９に示す画像信号処理回路１４１は図６に示した画像信号処理回路４１とほぼ同じ構成である。図９に示す画像信号処理回路１４１が図６に示した画像信号処理回路４１と異なる点は、赤の画像信号に対応する第２のコーディングテーブル５３Ｒに代えて第４のコーディングテーブルを記憶した記憶装置（以下、「第４のコーディングテーブル５６Ｒ」と記す、また図９には、単に「第４テーブル」と記し、符号「５６Ｒ」を付与する）を用い、緑の画像信号に対応する第２のコーディングテーブル５３Ｇに代えて第４のコーディングテーブルを記憶した記憶装置（以下、「第４のコーディングテーブル５６Ｇ」と記す、また図９には、単に「第４テーブル」と記し、符号「５６Ｇ」を付与する）を用い、青の画像信号に対応する第２のコーディングテーブル５３Ｂに代えて第３のコーディングテーブルを記憶した記憶装置（以下、「第３のコーディングテーブル５６Ｂ」と記す、また図９には、単に「第３テーブル」と記し、符号「５６Ｂ」を付与する）を用いた点にある。
【０１６３】
以下、図６に示した画像信号処理回路４１と異なる構成に関して説明し、同じ構成に関しては説明を省略する。
【０１６４】
セレクタ５５Ｒは、サブフィールドＳＦ１において、走査電極２２と維持電極２３とのそれぞれに２回以上の維持パルスが印加される場合には、第１のコーディングテーブル５２Ｒを選択し、サブフィールドＳＦ１において、走査電極２２と維持電極２３とのそれぞれに１回ずつ維持パルスが印加される場合には、第４のコーディングテーブル５６Ｒを選択する。
【０１６５】
同様に、セレクタ５５Ｇは、サブフィールドＳＦ１において、走査電極２２と維持電極２３とのそれぞれに２回以上の維持パルスが印加される場合には、第１のコーディングテーブル５２Ｇを選択し、サブフィールドＳＦ１において、走査電極２２と維持電極２３とのそれぞれに１回ずつ維持パルスが印加される場合には、第４のコーディングテーブル５６Ｇを選択する。
【０１６６】
一方、セレクタ５５Ｂは、サブフィールドＳＦ１において、走査電極２２と維持電極２３とのそれぞれに２回以上の維持パルスが印加される場合には、第１のコーディングテーブル５２Ｂを選択するが、サブフィールドＳＦ１において、走査電極２２と維持電極２３とのそれぞれに１回ずつ維持パルスが印加される場合には、第３のコーディングテーブル５６Ｂを選択する。
【０１６７】
これは、パネル１０においては、上述したように、青の放電セルにおけるクロストークが他の放電セルにおけるクロストークよりも発生量が多いと考えられるためである。
【０１６８】
そして、データ変換部５４Ｒ、階調値変換部５１Ｒから出力される赤の階調値にもとづき、セレクタ５５Ｒにおいて選択された方のコーディングテーブルからコーディングのデータを読み出し、読み出したデータを赤の画像データとして出力する。
【０１６９】
同様に、データ変換部５４Ｇは、階調値変換部５１Ｇから出力される緑の階調値にもとづき、セレクタ５５Ｇにおいて選択された方のコーディングテーブルからコーディングのデータを読み出し、読み出したデータを緑の画像データとして出力する。
【０１７０】
同様に、データ変換部５４Ｂは、階調値変換部５１Ｂから出力される青の階調値にもとづき、セレクタ５５Ｂにおいて選択された方のコーディングテーブルからコーディングのデータを読み出し、読み出したデータを青の画像データとして出力する。
【０１７１】
以上示したように、本実施の形態によれば、赤の放電セルおよび緑の放電セルにおいては、サブフィールドＳＦ２が非発光となるコーディングを用いた階調値をパネルに表示することができる。一方、青の放電セルにおいては、サブフィールドＳＦ３以降のサブフィールドが発光するときには、サブフィールドＳＦ１およびサブフィールドＳＦ２も必ず発光する。
【０１７２】
このように、放電セルのクロストーク特性に応じてコーディングテーブルを設定することで、特定の色の放電セル、例えば青の放電セル、におけるクロストークの抑制効果を高めることも可能である。これにより、クロストークが比較的発生しやすい放電セルにおけるクロストークを抑制し、高品質の画像をパネル１０に表示することが可能になる。
【０１７３】
なお、本実施の形態では、青の放電セルにおけるクロストークの抑制効果を高めるために、青の階調値を第１のコーディングテーブルと第３のコーディングテーブルとを切り換えて青の画像データに変換する場合の回路構成を図９に示した。しかし、本発明は何らこの構成に限定されるものではない。どの色の放電セルに対して第３のコーディングテーブルを用い、どの色の放電セルに対して第４のコーディングテーブルを用いるかは、パネルの特性等に応じて最適に設定すればよい。
【０１７４】
なお、図３に示した駆動電圧波形は本発明の実施の形態における一例を示したものに過ぎず、本発明は何らこれらの駆動電圧波形に限定されるものではない。また、図５、図６、図９に示した回路構成も本発明の実施の形態における一例を示したものに過ぎず、本発明は何らこれらの回路構成に限定されるものではない。
【０１７５】
なお、本発明における実施の形態では、１つのフィールドを６つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０１７６】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１７７】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０１７８】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１７９】
本発明は、クロストークを抑制する効果を高めるとともに、クロストークが発生した場合に、パネルに表示される画像にクロストークが与える影響を抑制し、品質の高い画像をパネルに表示することができるので、プラズマディスプレイ装置の駆動方法およびプラズマディスプレイ装置として有用である。
【符号の説明】
【０１８０】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０    プラズマディスプレイ装置
４１，１４１    画像信号処理回路
４２    データ電極駆動回路
４３    走査電極駆動回路
４４    維持電極駆動回路
４５    タイミング発生回路
５１Ｒ，５１Ｇ，５１Ｂ    階調値変換部
５２Ｒ，５２Ｇ，５２Ｂ    第１のコーディングテーブル
５３Ｒ，５３Ｇ，５３Ｂ    第２のコーディングテーブル
５４Ｒ，５４Ｇ，５４Ｂ    データ変換部
５５Ｒ，５５Ｇ，５５Ｂ    セレクタ
５６Ｒ，５６Ｇ    第４のコーディングテーブル
５６Ｂ    第３のコーディングテーブル
【図１】
2012049839.tif 000003
【図２】
2012049839.tif 000004
【図３】
2012049839.tif 000005
【図４Ａ】
2012049839.tif 000006
【図４Ｂ】
2012049839.tif 000007
【図５】
2012049839.tif 000008
【図６】
2012049839.tif 000009
【図７】
2012049839.tif 000010
【図８】
2012049839.tif 000011
【図９】
2012049839.tif 000012
【図１０】
2012049839.tif 000013
【国際調査報告】
2012049839.tif 000014
2012049839.tif 000015
2012049839.tif 000016
2012049839.tif 000017